(57)【要約】【課題】利用者がコピー時においてどのページに欠落が発生したかを確実に把握することができる画像形成装置を提供する。【解決手段】画像形成装置は、原稿を１枚づつ読みとり、原稿のページ情報を取得する。画像形成装置は、読み取ったページ情報が、読取りカウンタと一致するか否かを判断し、一致する場合に該当ページの印刷処理を行う正常時印刷部３４と、一致しない場合に、該当ページが欠落していることを示す欠落ページの印刷処理を行う欠落時印刷部３５と、を備える。【選択図】図２
2013142807.tif 000002
【特許請求の範囲】
【請求項１】
複数ページの印刷原稿を１ページずつ読み取る読取り手段と、
読み取った前記印刷原稿が何ページ目であるかを表すページ情報を取得する取得手段と、
前記ページ情報を取得した回数を表す読取りカウンタを１ずつ増加させる計測手段と、
前記ページ情報が、前記読取りカウンタと一致するか否かを判断する判断手段と、
前記ページ情報と前記読取カウンタとが一致すると判断された場合に、読み取った前記印刷原稿を印刷する正常時印刷手段と、
前記ページ情報と前記読取カウンタとが一致しないと判断された場合に、ページが欠落していることを示す欠落ページを印刷する欠落時印刷手段と、
を備えることを特徴とする画像形成装置。
【請求項２】
前記判断手段により、前記読取カウンタと前記ページ情報とが一致しないと判断された場合に、前記読取りカウンタを１加算するとともに、前記読取り手段、および前記取得手段による処理をスキップして、前記判断手段による判断実施を指示する読取りスキップ手段と
を備えることを特徴とする請求項１に記載の画像形成装置。
【請求項３】
前記取得手段は、前記印刷原稿の総ページ数を示す全ページ情報を取得するとともに、
前記判断手段は、前記計測手段によって計測された前記読取りカウンタが前記全ページ情報と一致せず、かつ、前記印刷原稿が前記読取り手段に存在しないと判断した場合は、印刷に欠落があるとする
ことを特徴とする請求項１又は２に記載の画像形成装置。
【請求項４】
前記欠落時印刷手段は、前記欠落ページが前記読取りカウンタの値にて示されるページ数の位置の順番となるよう印刷処理を行う
ことを特徴とする請求項１又は２に記載の画像形成装置。
【請求項５】
前記欠落時印刷手段は、前記印刷原稿の印刷に用いられる原稿サイズを取得し、前記原稿サイズとは異なる用紙サイズの設定で前記欠落ページを印刷する
ことを特徴とする請求項４に記載の画像形成装置。
【請求項６】
前記欠落時印刷手段は、前記印刷原稿の印刷に用いられる印刷方向を取得し、前記印刷方向とは異なる印刷方向の設定で前記欠落ページを印刷する
ことを特徴とする請求項４に記載の画像形成装置。
【請求項７】
前記欠落時印刷手段は、用紙の裏面に印刷を行う設定で前記欠落ページを印刷する
ことを特徴とする請求項４に記載の画像形成装置。
【請求項８】
複数ページの印刷原稿を１ページずつ読み取る読取り手段と、
読み取った前記印刷原稿が何ページ目であるかを表すページ情報を取得する取得手段と、
前記ページ情報を取得した回数を表す読取りカウンタを１ずつ増加させる計測手段と、
前記ページ情報が、前記読取りカウンタと一致するか否かを判断する判断手段と、
前記ページ情報と前記読取カウンタとが一致すると判断された場合に、読み取った前記印刷原稿を印刷する正常時印刷手段と、
前記ページ情報と前記読取カウンタとが一致しないと判断された場合に、前記読取りカウンタに該当するページの欠落があるとして当該読取りカウンタの値を記憶させるとともに、前記読取りカウンタを１増加させる欠落時記憶手段と、
前記欠落時記憶手段が記憶した前記読取りカウンタの値の一覧を欠落ページに印刷する欠落時印刷手段と
を備えることを特徴とする画像形成装置。
【請求項９】
複数ページの印刷原稿を１ページずつ読み取る読取りステップと、
読み取った前記印刷原稿が何ページ目であるかを表すページ情報を取得する取得ステップと、
前記ページ情報を取得した回数を表す読取りカウンタを１ずつ増加させる計測ステップと、
前記ページ情報が、前記読取りカウンタと一致するか否かを判断する判断ステップと、
前記ページ情報と前記読取カウンタとが一致すると判断された場合に、読み取った前記印刷原稿を印刷する正常時印刷ステップと、
前記ページ情報と前記読取カウンタとが一致しないと判断された場合に、ページが欠落していることを示す欠落ページを印刷する欠落時印刷ステップと
を含むことを特徴とする画像形成方法。
【請求項１０】
画像形成装置に、
複数ページの印刷原稿を１ページずつ読み取る読取りステップと、
読み取った前記印刷原稿が何ページ目であるかを表すページ情報を取得する取得ステップと、
前記ページ情報を取得した回数を表す読取りカウンタを１ずつ増加させる計測ステップと、
前記ページ情報が、前記読取りカウンタと一致するか否かを判断する判断ステップと、
前記ページ情報と前記読取カウンタとが一致すると判断された場合に、読み取った前記印刷原稿を印刷する正常時印刷ステップと、
前記ページ情報と前記読取カウンタとが一致しないと判断された場合に、ページが欠落していることを示す欠落ページを印刷する欠落時印刷ステップと
を実行させる印刷プログラム。
【発明の詳細な説明】
【技術分野】
【０００１】
本発明は、印刷時の欠落ページの有無を利用者に通知することの出来る画像形成装置、画像形成方法、及び印刷プログラムに関する。
【背景技術】
【０００２】
従来、コピー機や複合機においては、印刷用の原稿の読取り時に、ページを重ねて読み込んでしまったり、そもそも読取り原稿にページが欠落していたりした結果、出力した印刷用紙に足りないページが存在するといった問題が生じていた。そこで、このような欠落したページの有無を利用者に通知する技術が用いられている。
【０００３】
特許文献１においては、原稿の自動読取りの際に原稿に記載されているページ情報を認識し、その情報からページの欠落の有無を判断し、最後にコピー機上に設けられた表示部において欠落したページ番号を通知するという技術が開示されている。
【発明の概要】
【発明が解決しようとする課題】
【０００４】
しかしながら、上記に示したコピー機においては、利用者はコピー機上に設けられた表示部においてページの欠落を確認する必要があり、原稿の読取り操作後にコピー機から離れている間に他の利用者がコピー機を操作した場合には表示が消えてしまうことがある。その場合、利用者はどのページが欠落してしまったのかを確認することができなくなる。こうした問題を防ぐためには、印刷完了時までコピー機の近くで待機しておく必要があるという問題があった。
【０００５】
本発明は、上記に鑑みてなされたものであって、利用者がコピー時においてどのページに欠落が発生したかを確実に把握することができる画像形成装置を提供することにある。
【課題を解決するための手段】
【０００６】
上述した課題を解決し、目的を達成するために、本発明は、複数ページの印刷原稿を１ページずつ読み取る読取り手段と、読み取った前記印刷原稿が何ページ目であるかを表すページ情報を取得する取得手段と、前記ページ情報を取得した回数を表す読取りカウンタを１ずつ増加させる計測手段と、前記ページ情報が、前記読取りカウンタと一致するか否かを判断する判断手段と、前記ページ情報と前記読取カウンタとが一致すると判断された場合に、読み取った前記印刷原稿を印刷する正常時印刷手段と、前記ページ情報と前記読取カウンタとが一致しないと判断された場合に、ページが欠落していることを示す欠落ページを印刷する欠落時印刷手段と、を備えることを特徴とする。
【発明の効果】
【０００７】
本発明によれば、利用者がコピー時においてどのページに欠落が発生したかを確実に把握することができるという効果を奏する。
【図面の簡単な説明】
【０００８】
【図１】図１は、第１の実施形態の画像形成装置の構成を示したブロック図である。
【図２】図２は、第１の実施形態の画像処理制御部の構成を示したブロック図である。
【図３】図３は、第１の実施形態の読取り原稿の特定領域例を示す模式図である。
【図４】図４は、第１の実施形態の欠落ページの印刷態様を示す模式図である。
【図５】図５は、第１の実施形態の画像形成装置における原稿の読取り、及び印刷にかかる処理の流れを示したフロー図である。
【図６】図６は、第２の実施形態の欠落ページの印刷態様を示す模式図である。
【図７】図７は、第２の実施形態の画像形成装置における原稿の読取り、及び印刷にかかる処理の流れを示したフロー図である。
【図８】図８は、第２の実施形態の欠落ページの印刷の処理の流れを示したフロー図である。
【図９】図９は、第２の実施形態の欠落ページの印刷態様を示す模式図である。
【図１０】図１０は、第２の実施形態の欠落ページの印刷の処理の流れを示したフロー図である。
【図１１】図１１は、第２の実施形態の欠落ページの印刷態様を示す模式図である。
【図１２】図１２は、第３の実施形態の欠落ページの印刷態様を示す模式図である。
【図１３】図１３は、第３の実施形態の画像形成装置における原稿の読取り、及び印刷にかかる処理の流れを示したフロー図である。
【図１４】図１４は、画像形成装置のハードウェア構成図である。
【発明を実施するための形態】
【０００９】
以下に添付図面を参照して、本発明の画像形成装置の実施の形態を詳細に説明する。
【００１０】
（第１の実施の形態）
図１は、第１の実施の形態にかかる画像形成装置の構成を示すブロック図である。図１に示されるように、画像形成装置１は、ＨＤＤ２と、画像処理制御部３と、画像読取制御部４と、画像読取部５と、印刷制御部６と、印刷部７と、表示制御部８と、操作入力制御部９と、制御パネルＩ／Ｆ１０と、操作表示パネル１１とを備えている。
【００１１】
ＨＤＤ２は、印刷用のデジタル画像データや、印刷済みの画像データ、ジョブ履歴などを記憶する記憶手段に相当する。画像処理制御部３は、メインプロセッサであるＣＰＵ（Central  Processing  Unit）１３と、各処理のデータを一時的に格納しておくＳＤＲＡＭ（Synchronous  Dynamic  Random  Access  Memory）１４と、制御プログラム等を記憶したＲＯＭ（Read  Only  Memory）１５と、システムログ／システム設定／ログ情報等を記録し、電源ＯＦＦ時にもデータの保持が可能なＮＶＲＡＭ１６と、を備えている。
【００１２】
画像読取制御部４は、コピーやスキャン時において原稿の読取り制御を行うように画像読取部５に対して指示を出す。画像読取制御部４は、画像処理制御部３からの指示を受けて、画像読取部５を駆動する。画像読取部５は、原稿の表面に対するランプ照射の反射光をミラー、及びレンズを操作して受光素子（例えば、ＣＣＤ（Charge  Coupled  Device））に集光させて読取り、読み取った反射光をＡ／Ｄ変換してＲＧＢフォーマットの８ｂｉｔのデジタル画像データを生成する。このデジタル画像データは、ＨＤＤ２に記憶される。
【００１３】
印刷制御部６は、画像処理制御部３からの指示を受け、印刷部７に対してデジタル画像データを含む印刷指示を出力する。印刷部７は、転写紙などの媒体に画像を形成して出力する。印刷部７は、フルカラーの印刷が可能であり、印刷方式は、電子写真方式のほか、インクジェット方式、昇華型熱転写方式、銀塩写真方式、直接感熱記録方式、溶融型熱転写方式など、さまざまな方式を用いることができる。
【００１４】
表示制御部８は、画像処理制御部３からの指示を受け、操作表示パネル１１に対して画像表示の制御を行う。操作入力制御部９は、操作表示パネル１１からの利用者による機能選択操作や入力操作に応じた入力制御信号を画像処理制御部３へと入力する。操作表示パネル１１は、例えばＬＣＤ（Liquid  Crystal  Display）である表示部１１ａと、タッチパネルやキーボードを含んだ操作入力部１１ｂとで構成されている。操作入力部１１ｂには、画像読取りの開始を宣言するためのスタートキーと、数値入力を行うためのテンキーと、読み取った画像データの送信先を設定する読取条件設定キーと、クリアキーとが設けられている。
【００１５】
次に、画像処理制御部３の詳細な機能について、図２を用いて説明する。図２は、画像処理制御部３の詳細な機能構成を示したブロック図である。図２に示されるように、画像処理制御部３は、ページ情報取得部３１、計測部３２、欠落判断部３３、正常時印刷部３４、及び欠落時印刷部３５を含んで構成されている。
【００１６】
ページ情報取得部３１は、コピー対象となる原稿を読み取った際に、原稿の特定領域から現在ページ情報ＰＮと、全ページ情報ＡＮとを取得する。以下、コピー対象となる読み取られた原稿からページ情報を取得する方法について図３を用いて説明する。図３は、原稿の一例を示す模式図である。
【００１７】
図３に示されるように、原稿３０では、上下の斜線で示した余白領域を特定領域としている。通常の原稿では、ページ情報は、この特定領域に印刷される。したがって、ページ情報取得部３１は、画像読取制御部４に指示を出して、この特定領域をスキャンし、ページ情報を取得する。「１」や「一」などの数値を示す情報が予め数値パターンとして記憶されており、ページ情報取得部３１は、数値パターンと一致するものが特定領域に存在する場合に画像データの数値データへの変換を行う。また、１／１５や１−１５のように「／」や「−」が特定領域に現れる場合、ページ情報取得部３１は、「１」を現在ページ情報ＰＮとして、「１５」を全ページ情報ＡＮとして認識する。なお、このページ数を認識する方法は既知の技術であり、他の従来用いられる方法を採ることもできる。図３に示される原稿３０が読み取られた場合、ページ情報取得部３１は、現在の現在ページ情報ＰＮを「１」と、全ページ情報ＡＮを「３０」と認識する。この現在ページ情報ＰＮ、及び全ページ情報ＡＮはＳＤＲＡＭ１４に記憶される。
【００１８】
計測部３２は、ページ情報取得部３１により読み取ったページからページ数の情報を取得する処理を行うごとに読取りカウンタＲｃｔを加算していく。読取りカウンタＲｃｔは、「０」からスタートし、この読取りカウンタＲｃｔはＳＤＲＡＭ１４に記憶される。なお、実際にページ数の情報が含まれていない場合や、読取りエラーなどで読み取れなかった場合であっても、読取りカウンタＲｃｔは加算される。
【００１９】
欠落判断部３３は、コピー用の原稿を自動読取りして印刷した際に、ページの重なりや読み込み時のエラーによって、ページの欠落が生じているか否かを判断する。欠落判断部３３は、ページ情報取得部３１が取得した現在ページ情報ＰＮと、読取りカウンタＲｃｔとを比較し、この値が一致しているか否かを判断する。一致している場合は、欠落判断部３３は、正常であると判断する。一方一致していない場合は、欠落判断部３３は、読取りカウンタＲｃｔが示す値のページに欠落が発生していると判断する。例えば、３ページ目の読み込みの際に重なって４ページ目まで一緒に読み込まれてしまうと、次の４ページ目の読み込みの場合には、５ページ目の原稿が読み込まれてしまう。すなわち、読取りカウンタＲｃｔ＝４、現在ページ情報ＰＮ＝５となるため、このときは４枚目のページが欠落したと判断される。
【００２０】
正常時印刷部３４は、欠落判断部３３による判断が正常となった場合に、印刷制御部６へとＨＤＤ２に記憶された該当ページの画像データを印刷指示とともに送信する。図４における１ページ、及び３ページは正常時印刷部３４による指示により印刷されたページである。欠落時印刷部３５は、欠落判断部３３によりページに欠落が存在していると判断された場合に、その該当ページを欠落ページとして印刷する指示を印刷制御部６へと送信する。図４における２ページが欠落時印刷部３５による指示により印刷されたページである。なお、欠落ページの例としては、ページ中に「○ページ目を再度印刷ください」などのように、利用者に欠落したページ数を認知させることができるものを採ることができる。
【００２１】
以上に支援した画像形成装置１における読取りから印刷にかかる処理の流れを、図５を用いて説明する。本処理は、操作表示パネル１１のスタートボタンが押されることにより処理が開始される（ステップＳ１０１）。スタートボタンが押されると（ステップＳ１０１：Ｙｅｓ）、画像処理制御部３は、初期化処理を行い、読取りカウンタＲｃｔと、全ページ情報ＡＮとをリセットして「０」とする（ステップＳ１０２）。
【００２２】
画像処理制御部３は、印刷用の原稿が設置される載置部に原稿があるかどうかを判断する（ステップＳ１０３）。原稿があると判断された場合（ステップＳ１０３：Ｙｅｓ）、画像処理制御部３は、画像読取制御部４に対して、１ページ分原稿を読み込むように指示をだす（ステップＳ１０４）。次いで、画像処理制御部３は、画像読取制御部４が読み取った原稿を画像データに変換したものを、ＨＤＤ２に記憶させる（ステップＳ１０５）。また、ページ情報取得部３１は、読み取った原稿の特定領域から現在ページ情報ＰＮ，及び全ページ情報ＡＮを取得する（ステップＳ１０６）。そして、計測部３２は、ページ情報の取得後に読取りカウンタＲｃｔの値を１加算する（ステップＳ１０７）。
【００２３】
欠落判断部３３は、認識した現在ページ情報ＰＮが読取りカウンタＲｃｔと一致するかを判断する（ステップＳ１０８）。一致すると判断された場合（ステップＳ１０８：Ｙｅｓ）、欠落判断部３３はページが正常に読み取られたとして、正常時印刷部３４は、ＨＤＤ２に記憶されている画像データを１ページ分印刷する指示を印刷制御部６に対して送る（ステップＳ１０９）。そして、画像処理制御部３は、読取りカウンタＲｃｔが全ページ情報ＡＮと一致するか否か、すなわち全ページの印刷が完了したか否かを判断する（ステップＳ１１０）。全ページの印刷が完了した場合（ステップＳ１１０：Ｙｅｓ）、処理を終了し、一方完了していない場合（ステップＳ１１０：Ｎｏ）、ステップＳ１０３に戻り再度原稿の読取りからの処理を繰り返す。
【００２４】
認識した現在ページ情報ＰＮが読取りカウンタＲｃｔと一致しないと判断された場合（ステップＳ１０８：Ｎｏ）、欠落時印刷部３５は、印刷制御部６に対して欠落ページを印刷する指示を送る（ステップＳ１１１）。欠落ページの印刷時においては、画像処理制御部３は、欠落したページの次のページが既に読み込まれて画像データとして記憶されていることから、画像の読取りの処理、及びページ情報取得の処理に当たるステップＳ１０３〜Ｓ１０６をスキップし、ステップＳ１０７の読取りカウンタＲｃｔを１加算する処理へと移行する。
【００２５】
また、画像読取部５の載置部に原稿がない場合（ステップＳ１０３：Ｎｏ）、すなわち最後のページに欠落が発生している場合は、計測部３２は、読取りカウンタＲｃｔを１加算する（ステップＳ１１２）。そして、欠落時印刷部３５が欠落ページを印刷する指示を印刷制御部６へと送信し（ステップＳ１１３）、ステップＳ１１０へと移行する。最後のページの欠落が１ページ分であるときは、このステップＳ１１０の判定で、読取りカウンタＲｃｔ＝全ページ情報ＡＮとなるため処理は完了し、一方最後にページが２枚以上欠落している場合は、ステップＳ１０３、ステップＳ１１２、ステップＳ１１３，及びステップＳ１１０の流れを終了条件を満たすまで繰り返す。
【００２６】
以上に示した、第１の実施形態の画像形成装置１においては、コピー時にページの欠落が発生した場合に、欠落ページを出力し、出力した用紙中にどのページが欠落したかを利用者が視認することができるようになった。そのため、利用者は印刷終了までコピー機の前で待機する必要がなくなり、出力された用紙を見ることでどのページの再印刷が必要かを簡易、かつ適切に確認することができるようになる。
【００２７】
また、欠落ページは、正常にページが印刷されていれば本来あるべきページの位置に順番に出力されるため、出力した用紙を１ページ目から最後のページまで利用者が確認する行為の中で、欠落したページを直感的に確認することができる。そして、再度ページを印刷して正常なページが出力されると、利用者は欠落ページを新たに印刷したページと差し替えることで、容易に正しい順番に並んだ原稿を入手することができるようになる。
【００２８】
さらには、計測部３２によって計測された読取りカウンタＲｃｔが全ページ情報ＡＮと一致せず、かつ、印刷原稿が画像読取部５に存在しない場合は、欠落ページを印刷することとしたため、最後のページに欠落がある場合でも、正しくこれを利用者に知らしめることができる。
【００２９】
なお、印刷原稿を１ページずつ読み込んで印刷する場合の処理の流れを示したが、さらに全ての原稿を読み込み１ページずつ印刷していく処理として図５の処理の流れを変更しても良い。その場合、読み込まれた印刷原稿の画像データは１枚ずつ記憶され、読取りカウンタＲｃｔは、記憶した画像データを１枚読み取る毎に加算されるように変更し、読取りではなく、画像データの読み出しを繰り返し行うようにする。
【００３０】
また、全ページ情報ＡＮを認識できない場合のために、全ページ情報を利用者が手動で入力することもできる。
【００３１】
（第２の実施の形態）
第２の実施形態の画像形成装置１は、第１の実施形態の画像形成装置１とは、欠落ページの印刷の方法が異なっている。以下第１の実施形態とは異なる構成、及び処理を中心に説明する。なお、第１の実施形態と同じ構成やステップについては同じ符号を記す。
【００３２】
図６は、第２の実施形態における欠落ページの出力態様を示した模式図である。図６にて示されるように、欠落ページは他の正常なページとは異なる用紙サイズの設定で出力される。この例では、正常なページはＢ５サイズの用紙、欠落したページはＡ４サイズの用紙で印刷される。このようにすることで、利用者は欠落ページの有無を容易に判別することができるようになる。
【００３３】
図７は、第２の実施形態の画像形成装置１の処理の流れを示したフロー図である。図７に示されるように、処理はＢで示したステップＳ２００の欠落ページを印刷するステップのみが図５とは異なっている。ステップＳ２００の詳細の処理の流れを図８にて示す。
【００３４】
欠落ページの印刷時には、欠落時印刷部３５は、用紙の通常の印刷の複写サイズがＢ５であるか否かを判断する（ステップＳ２０１）。複写サイズがＢ５である場合（ステップＳ２０１：Ｙｅｓ）、欠落時印刷部３５は欠落ページの用紙サイズをＡ４に決定して、Ａ４にて印刷するよう印刷制御部６へと指示を送る（ステップＳ２０２）。複写サイズがＢ５でない場合（ステップＳ２０１：Ｎｏ）、欠落時印刷部３５は、用紙の通常の印刷の複写サイズがＡ４であるか否かを判断する（ステップＳ２０３）。複写サイズがＡ４である場合（ステップＳ２０３：Ｙｅｓ）、欠落時印刷部３５は欠落ページの用紙サイズをＡ３に決定して、Ａ３にて印刷するよう印刷制御部６へと指示を送る（ステップＳ２０４）。複写サイズがＡ４でない場合（ステップＳ２０３：Ｎｏ）、欠落時印刷部３５は欠落ページの用紙サイズをＢ５に決定して、Ｂ５にて印刷するよう印刷制御部６へと指示を送る（ステップＳ２０５）。
【００３５】
（変形例１）
図９は、欠落ページの印刷態様の変形例を示している。図９では正常なページを縦に、欠落ページを横向きに印刷している。図１０にて、その処理の流れを説明する。Ｂ以外の処理は図７と同様である。
【００３６】
図１０に示されるように、欠落ページの印刷時には、欠落時印刷部３５は、用紙の印刷の向きが縦であるか否かを判断する（ステップＳ３０１）。用紙の印刷の向きが縦である場合（ステップＳ３０１：Ｙｅｓ）、欠落時印刷部３５は欠落ページの印刷の向きを横に決定して、横向きにて印刷するよう印刷制御部６へと指示を送る（ステップＳ３０２）。用紙の印刷の向きが縦でない場合（ステップＳ３０１：Ｎｏ）、欠落時印刷部３５は欠落ページの印刷の向きを縦に決定して、縦向きにて印刷するよう印刷制御部６へと指示を送る（ステップＳ３０３）。
【００３７】
（変形例２）
図１１は、欠落ページの印刷態様の変形例を示している。図１１では正常なページを表面に、欠落ページを裏面に印刷している。
【００３８】
（第３の実施形態）
第３の実施形態においては、図１２に示されるように、欠落ページを１枚ずつ印刷するのではなく、最後のページに欠落ページをまとめて一覧形式にて印刷する。この場合の処理の流れを図１３を用いて説明する。図１３においては、図５と同じ処理については同様の符号にて示している。
【００３９】
図１３にて示されるように、欠落判断部３３は、欠落ページを印刷する代わりに、読取りカウンタＲｃｔの値にて記されるページ数に欠落がある旨をＨＤＤ２に記憶させる（ステップＳ４１１、ステップＳ４１３）。また、欠落時印刷部３５は、１ページずつ欠落ページを印刷するのではなく、全ページの読取り終了後、すなわち読取りカウンタＲｃｔ＝全ページ情報ＡＮとなる場合に、ＨＤＤ２に記憶した読取りカウンタＲｃｔにて示されるページ数を全て一覧形式で印刷する指示を印刷制御部６へと送信する（ステップＳ４１４）。
【００４０】
上記実施形態の画像形成装置において実施される画像形成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読取り可能な記録媒体に記録されて提供される。
【００４１】
また、上記各実施形態の画像形成装置において実施される画像形成プログラムを、インターネット等のネットワークに接続されたコンピュータ上に格納し、ネットワーク経由でダウンロードさせることにより提供するように構成しても良い。また、画像形成プログラムをインターネット等のネットワーク経由で提供または配布するように構成しても良い。
【００４２】
図１４は、第１〜３の実施の形態にかかる画像形成装置のハードウェア構成を示すブロック図である。本図に示すように、この画像形成装置１は、コントローラ４０とエンジン部（Ｅｎｇｉｎｅ）６０とをＰＣＩ（Ｐｅｒｉｐｈｅｒａｌ  Ｃｏｍｐｏｎｅｎｔ  Ｉｎｔｅｒｆａｃｅ）バスで接続した構成となる。コントローラ４０は、画像形成装置１全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００４３】
コントローラ４０は、ＣＰＵ４１と、ノースブリッジ（ＮＢ）４３と、システムメモリ（ＭＥＭ−Ｐ）４２と、サウスブリッジ（ＳＢ）４４と、ローカルメモリ（ＭＥＭ−Ｃ）４７と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）４６と、ハードディスクドライブ（ＨＤＤ）４８とを有し、ノースブリッジ（ＮＢ）４３とＡＳＩＣ４６との間をＡＧＰ（Ａｃｃｅｌｅｒａｔｅｄ  Ｇｒａｐｈｉｃｓ  Ｐｏｒｔ）バス４５で接続した構成となる。また、ＭＥＭ−Ｐ４２は、ＲＯＭ（Ｒｅａｄ  Ｏｎｌｙ  Ｍｅｍｏｒｙ）４２ａと、ＲＡＭ（Ｒａｎｄｏｍ  Ａｃｃｅｓｓ  Ｍｅｍｏｒｙ)４２ｂと、をさらに有する。
【００４４】
ＣＰＵ４１は、画像形成装置１の全体制御をおこなうものであり、ＮＢ４３、ＭＥＭ−Ｐ４２およびＳＢ４４からなるチップセットを有し、このチップセットを介して他の機器と接続される。
【００４５】
ＮＢ４３は、ＣＰＵ４１とＭＥＭ−Ｐ４２、ＳＢ４４、ＡＧＰ４５とを接続するためのブリッジであり、ＭＥＭ−Ｐ４２に対する読み書きなどを制御するメモリコントローラと、ＰＣＩマスタおよびＡＧＰターゲットとを有する。
【００４６】
ＭＥＭ−Ｐ４２は、プログラムやデータの格納用メモリ、プログラムやデータの展開用メモリ、プリンタの描画用メモリなどとして用いるシステムメモリであり、ＲＯＭ４２ａとＲＡＭ４２ｂとからなる。ＲＯＭ４２ａは、プログラムやデータの格納用メモリとして用いる読み出し専用のメモリであり、ＲＡＭ４２ｂは、プログラムやデータの展開用メモリ、プリンタの描画用メモリなどとして用いる書き込みおよび読み出し可能なメモリである。
【００４７】
ＳＢ４４は、ＮＢ４３とＰＣＩデバイス、周辺デバイスとを接続するためのブリッジである。このＳＢ４４は、ＰＣＩバスを介してＮＢ４３と接続されており、このＰＣＩバスには、ネットワークインターフェース（Ｉ／Ｆ）部なども接続される。
【００４８】
ＡＳＩＣ４６は、画像処理用のハードウェア要素を有する画像処理用途向けのＩＣ（Ｉｎｔｅｇｒａｔｅｄ  Ｃｉｒｃｕｉｔ）であり、ＡＧＰ４５、ＰＣＩバス、ＨＤＤ４８およびＭＥＭ−Ｃ４７をそれぞれ接続するブリッジの役割を有する。このＡＳＩＣ４６は、ＰＣＩターゲットおよびＡＧＰマスタと、ＡＳＩＣ４６の中核をなすアービタ（ＡＲＢ）と、ＭＥＭ−Ｃ４７を制御するメモリコントローラと、ハードウェアロジックなどにより画像データの回転などをおこなう複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部６０との間でＰＣＩバスを介したデータ転送をおこなうＰＣＩユニットとからなる。このＡＳＩＣ４６には、ＰＣＩバスを介してＦＣＵ（Ｆａｃｓｉｍｉｌｅ  Ｃｏｎｔｒｏｌ  Ｕｎｉｔ）５０、ＵＳＢ（Ｕｎｉｖｅｒｓａｌ  Ｓｅｒｉａｌ  Ｂｕｓ）５１、ＩＥＥＥ１３９４（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インターフェース５２が接続される。操作表示部５３はＡＳＩＣ４６に直接接続されている。
【００４９】
ＭＥＭ−Ｃ４７は、コピー用画像バッファ、符号バッファとして用いるローカルメモリであり、ＨＤＤ（Ｈａｒｄ  Ｄｉｓｋ  Ｄｒｉｖｅ）４８は、画像データの蓄積、プログラムの蓄積、フォントデータの蓄積、フォームの蓄積を行うためのストレージである。
【００５０】
ＡＧＰ４５は、グラフィック処理を高速化するために提案されたグラフィックスアクセラレーターカード用のバスインターフェースであり、ＭＥＭ−Ｐ４２に高スループットで直接アクセスすることにより、グラフィックスアクセラレーターカードを高速にするものである。
【００５１】
なお、上記実施の形態では、本発明の画像形成装置を、コピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の画像形成装置であればいずれにも適用することができる。
【符号の説明】
【００５２】
１  画像形成装置
２  ＨＤＤ
３  画像処理制御部
４  画像読取制御部
５  画像読取部
６  印刷制御部
７  印刷部
８  表示制御部
９  操作入力制御部
１０  制御パネルＩ／Ｆ
１１  操作表示パネル
１１ａ  表示部
１１ｂ  操作入力部
３０  原稿
３１  ページ情報取得部
３２  計測部
３３  欠落判断部
３４  正常時印刷部
３５  欠落時印刷部
４０  コントローラ
５３  操作表示部
６０  エンジン部
ＡＮ  全ページ情報
ＰＮ  現在ページ情報
Ｒｃｔ  読取りカウンタ
【先行技術文献】
【特許文献】
【００５３】
【特許文献１】特開平４−１３６８６９号公報
【図１】
2013142807.tif 000003
【図２】
2013142807.tif 000004
【図３】
2013142807.tif 000005
【図４】
2013142807.tif 000006
【図５】
2013142807.tif 000007
【図６】
2013142807.tif 000008
【図７】
2013142807.tif 000009
【図８】
2013142807.tif 000010
【図９】
2013142807.tif 000011
【図１０】
2013142807.tif 000012
【図１１】
2013142807.tif 000013
【図１２】
2013142807.tif 000014
【図１３】
2013142807.tif 000015
【図１４】
2013142807.tif 000016